(57)【要約】【課題】  対象者が非常事態状況に遭遇したときに、助けを呼ぶ等の対応ができない場合に、非常事態状況を検出して警報状態に入るシステムであって、本発明は誤った警報を減らすための検出システムを提供する。【解決手段】  対象者から身体ストレス情報を受けるためのストレス入力装置、前記対象者から身体の物理的反応データを受けるための物理的入力装置、前記対象者の実質的に同時のストレスレベル変化と物理的反応を検出するために、ストレスレベル情報と物理的反応データを比較するための、前記ストレス入力装置及び前記物理的入力装置に関連付けられた、比較器装置、を含む非常事態状況検出装置であって、前記装置が、非常事態状況の存在を推論しかつ警報状態に入るために、前記同時検出をしきいとするように操作可能であることを特徴とする非常事態状況検出装置。【選択図】  図１
2007506158.tif 000002
【特許請求の範囲】
【請求項１】
対象者から身体ストレス情報を受けるためのストレス入力装置、
前記対象者から身体の物理的反応データを受けるための物理的入力装置、
前記対象者の実質的に同時のストレスレベル変化と物理的反応を検出するために、ストレスレベル情報と物理的反応データを比較するための、前記ストレス入力装置及び前記物理的入力装置に関連付けられた、比較器装置、
を含む非常事態状況検出装置であって、前記装置が、非常事態状況の存在を推論しかつ警報状態に入るために、前記同時検出をしきいとするように操作可能であることを特徴とする非常事態状況検出装置。
【請求項２】
前記しきいとすることが前記変化のしきい化であることを特徴とする請求項１に記載の非常事態状況検出装置。
【請求項３】
前記対象者へ取付けるための形状をしていることを特徴とする請求項１に記載の非常事態状況検出装置。
【請求項４】
使用者のヒップ領域の上の胴体領域に取付けるための形状をしていることを特徴とする請求項１に記載の非常事態状況検出装置。
【請求項５】
前記ストレスレベル情報が脈拍数情報を含むことを特徴とする請求項１に記載の非常事態状況検出装置。
【請求項６】
前記ストレスレベル情報が呼吸数情報を含むことを特徴とする請求項１に記載の非常事態状況検出装置。
【請求項７】
前記ストレスレベル情報が発汗レベル情報であることを特徴とする請求項１に記載の非常事態状況検出装置。
【請求項８】
前記対象者が睡眠状態にあるような極めて低いストレスレベル情報を判断するように構成されていることを特徴とする請求項１に記載の非常事態状況検出装置。
【請求項９】
前記物理的入力装置が前記対象者に取付けた傾斜検出装置を含むことを特徴とする請求項１に記載の非常事態状況検出装置。
【請求項１０】
前記物理的入力装置が加速度計を含むことを特徴とする請求項１に記載の非常事態状況検出装置。
【請求項１１】
前記入力装置が前記対象者上に置かれた送信機装置に応答することを特徴とする請求項１に記載の非常事態状況検出装置。
【請求項１２】
前記警報状態が中央制御器への通信チャンネルの自動開放を含むことを特徴とする請求項１に記載の非常事態状況検出装置。
【請求項１３】
前記警報状態が中央制御器への音声チャンネルの自動開放を含むことを特徴とする請求項１に記載の非常事態状況検出装置。
【請求項１４】
前記音声チャンネルの一端が前記対象者上に設けられていることを特徴とする請求項１３に記載の非常事態状況検出装置。
【請求項１５】
前記警報状態が中央制御器へのビデオリンクの自動開放を含むことを特徴とする請求項１に記載の非常事態状況検出装置。
【請求項１６】
前記警報状態が不安定性モニター及び騒音モニターの少なくとも一つにより追加的に起動可能であることを特徴とする請求項１に記載の非常事態状況検出装置。
【請求項１７】
対象者上に目だたないように取付けるための寸法と形状をしていることを特徴とする請求項１に記載の非常事態状況検出装置。
【請求項１８】
位置を決定するための位置検出機能を更に含み、前記装置が更に前記位置を報告するように構成されていることを特徴とする請求項１に記載の非常事態状況検出装置。
【請求項１９】
前記位置検出機能がＧＰＳ検出装置及び三角測量システムからなる群の一つであることを特徴とする請求項１８に記載の非常事態状況検出装置。
【請求項２０】
方向センサを更に含み、前記方向センサが磁針及びある対照に関する前記磁針の角度を測定するための機能を含むことを特徴とする請求項１に記載の非常事態状況検出装置。
【請求項２１】
直前のデータの予め決められた量を格納するためのメモリースタックと関連付けられており、前記検出装置が前記警報状態に入ると前記スタック内の全てのデータをセーブするように構成されていることを特徴とする請求項１に記載の非常事態状況検出装置。
【請求項２２】
対象者から身体ストレスレベル情報を受けること、
前記対象者から身体の物理的反応データを受けること、
前記対象者の実質的に同時のストレスレベル変化と物理的反応を検出するために、ストレスレベル情報と物理的反応データを比較すること、及び
非常事態状況の存在を推論しかつ警報状態に入るために、前記同時検出をしきいとすること、
を含むことを特徴とする非常事態状況検出方法。
【請求項２３】
前記しきいとすることが変化率のしきい化を含むことを特徴とする請求項２２に記載の方法。
【請求項２４】
前記ストレスレベル情報が脈拍数情報を含むことを特徴とする請求項２２に記載の方法。
【請求項２５】
前記ストレスレベル情報が呼吸数情報であることを特徴とする請求項２２に記載の方法。
【請求項２６】
前記ストレスレベル情報が発汗レベル情報であることを特徴とする請求項２２に記載の方法。
【請求項２７】
前記物理的反応データが身体の角度傾斜データであることを特徴とする請求項２２に記載の方法。
【請求項２８】
前記物理的反応データが身体の加速度データであることを特徴とする請求項２２に記載の方法。
【請求項２９】
前記対象者上に置かれた送信機装置に応答することを含むことを特徴とする請求項２２に記載の方法。
【請求項３０】
前記警報状態が中央制御器への無線リンクの自動開放を含むことを特徴とする請求項２２に記載の方法。
【請求項３１】
前記警報状態が中央制御器へのビデオリンクの自動開放を含むことを特徴とする請求項２２に記載の方法。
【請求項３２】
ルールベース論理と対象者上に設けるための少なくとも一つの身体センサを含むシステムであって、この対象者がある行動ルールに追従すると予想されており、前記少なくとも一つのセンサが前記ルールベース論理と組合せて、前記行動ルールに従わないことを検出し、それにより異常状況を示すために用いることができることを特徴とするシステム。
【請求項３３】
前記行動ルールと組合せて用いることができる少なくとも第二の身体センサを更に含むことを特徴とする請求項３２に記載のシステム。
【請求項３４】
前記行動が予想されていないときの使用者の睡眠または居眠りを含むことを特徴とする請求項３２に記載のシステム。
【請求項３５】
前記行動が、静止と予想されているときの使用者の歩行、または歩行と予想されているときの使用者の静止を含むことを特徴とする請求項３２に記載のシステム。
【請求項３６】
前記行動ルールが、使用者の身体位置の予想される姿勢を規定することを特徴とする請求項３２に記載のシステム。
【請求項３７】
前記行動ルールが、前記使用者が位置していると予想される場所及び前記使用者が位置していないと予想される場所を規定することを特徴とする請求項３２に記載のシステム。
【請求項３８】
前記行動ルールが、大きな衝撃の後の予想される行動を含むことを特徴とする請求項３２に記載のシステム。
【請求項３９】
位置検出装置を更に含み、更に前記ルールベース論理が位置に基づくルールを含むことを特徴とする請求項３２に記載のシステム。
【請求項４０】
前記ルールの動的変更を可能とするようにプログラム可能であることを特徴とする請求項３２に記載のシステム。
【請求項４１】
移動体に取付けるための方向センサであって、前記方向センサが磁針と前記磁針の角度を対照に関して測定するための機能を含み、前記方向センサが前記移動体上に方向固定態様で取付けるための形状をしていることを特徴とする方向センサ。
【請求項４２】
前記移動体が人間であり、前記方向センサが前記人間が対面する方向を示す前記人間の一部に取付けるための形状をしていることを特徴とする請求項４１に記載の方向センサ。
【請求項４３】
対象者から身体の生理学的情報を受けるための生理学的入力装置、
前記対象者から身体の物理的反応データを受けるための物理的入力装置、
前記生理学的入力装置及び前記物理的入力装置に関連付けられ、前記生理学的情報及び前記物理的情報に同時に少なくとも一つの論理操作を付与し、非常事態状況の存在を推論しかつ警報状態に入るための論理装置、
を含むことを特徴とする非常事態状況検出装置。
【請求項４４】
前記対象者へ取付けるための形状をしていることを特徴とする請求項４３に記載の非常事態状況検出装置。
【請求項４５】
使用者のヒップ領域の上の胴体領域に取付けるための形状をしていることを特徴とする請求項４４に記載の非常事態状況検出装置。
【請求項４６】
前記生理学的レベル情報が脈拍数情報を含むことを特徴とする請求項４３に記載の非常事態状況検出装置。
【請求項４７】
前記生理学的レベル情報が呼吸数情報を含むことを特徴とする請求項４３に記載の非常事態状況検出装置。
【請求項４８】
前記生理学的レベル情報が発汗レベル情報であることを特徴とする請求項４３に記載の非常事態状況検出装置。
【請求項４９】
前記生理学的情報が使用者が眠っているかどうかを示すデータであることを特徴とする請求項４３に記載の非常事態状況検出装置。
【請求項５０】
前記物理的入力装置が前記対象者に取付けた傾斜検出装置を含むことを特徴とする請求項４３に記載の非常事態状況検出装置。
【請求項５１】
前記物理的入力装置が加速度計を含むことを特徴とする請求項４３に記載の非常事態状況検出装置。
【請求項５２】
前記入力装置が前記対象者上に置かれた送信機装置に応答することを特徴とする請求項４３に記載の非常事態状況検出装置。
【請求項５３】
前記警報状態が中央制御器への通信チャンネルの自動開放を含むことを特徴とする請求項４３に記載の非常事態状況検出装置。
【請求項５４】
前記警報状態が中央制御器への音声チャンネルの自動開放を含むことを特徴とする請求項４３に記載の非常事態状況検出装置。
【請求項５５】
前記音声チャンネルの一端が前記対象者上に設けられていることを特徴とする請求項５４に記載の非常事態状況検出装置。
【請求項５６】
前記警報状態が中央制御器へのビデオリンクの自動開放を含むことを特徴とする請求項４３に記載の非常事態状況検出装置。
【請求項５７】
前記警報状態が不安定性モニター及び騒音モニターの少なくとも一つにより追加的に起動可能であることを特徴とする請求項４３に記載の非常事態状況検出装置。
【請求項５８】
対象者上に目だたないように取付けるための寸法と形状をしていることを特徴とする請求項４３に記載の非常事態状況検出装置。
【請求項５９】
位置を決定するための位置検出機能を更に含み、前記装置が更に前記位置を報告するように構成されていることを特徴とする請求項４３に記載の非常事態状況検出装置。
【請求項６０】
前記位置検出機能がＧＰＳ検出装置及び三角測量システムからなる群の一つであることを特徴とする請求項５９に記載の非常事態状況検出装置。
【請求項６１】
方向センサを更に含み、前記方向センサが磁針及びある対照に関する前記磁針の角度を測定するための機能を含むことを特徴とする請求項４３に記載の非常事態状況検出装置。
【請求項６２】
直前のデータの予め決められた量を格納するためのメモリースタックと関連付けられており、前記検出装置が前記警報状態に入ると前記スタック内の全てのデータをセーブするように構成されていることを特徴とする請求項４３に記載の非常事態状況検出装置。
【請求項６３】
警報状態の表示が衝撃、対象者を転倒させる衝撃、及び生理学的判断を変化させる衝撃のいずれかを含むことを特徴とする請求項１に記載の非常事態状況検出装置。
【請求項６４】
警報状態の表示が衝撃、対象者を転倒させる衝撃、及び生理学的判断を変化させる衝撃のいずれかを含むことを特徴とする請求項２２に記載の非常事態状況検出方法。
【請求項６５】
警報状態の表示が衝撃、対象者を転倒させる衝撃、及び生理学的判断を変化させる衝撃のいずれかを含むことを特徴とする請求項３２に記載の非常事態状況検出システム。
【請求項６６】
警報状態の表示が衝撃、対象者を転倒させる衝撃、及び生理学的判断を変化させる衝撃のいずれかを含むことを特徴とする請求項４３に記載の非常事態状況検出装置。
【請求項６７】
追加の検出装置が対象者を運ぶ車両の壁に前記車両の振動を相殺するように設けられることを特徴とする請求項１〜６６のいずれかに記載の非常事態状況検出装置。
【請求項６８】
複数の離れて設けられた非常事態状況検出装置を制御するための中央調整装置であって、各検出装置が：
対象者から身体ストレス情報を受けるためのストレス入力装置、
前記対象者から身体の物理的反応データを受けるための物理的入力装置、
前記対象者の実質的に同時のストレスレベル変化と物理的反応を検出するために、ストレスレベル情報と物理的反応データを比較するための、前記ストレス入力装置及び前記物理的入力装置に関連付けられた、比較器装置、
を含み、前記装置が、非常事態状況の存在を推論しかつ警報状態に入るために、前記同時検出をしきいとするように操作可能であり、
前記調整装置が、前記検出装置の一つが警報状態に入ったことを示すための警報装置、及び前記警報状態に入った前記検出装置の前記一つの位置と連絡をとりかつその位置を提供するための連絡装置を含むことを特徴とする中央調整装置。
【請求項６９】
複数の離れて設けられた非常事態状況検出装置を制御するための中央調整装置であって、各検出装置が：
前記対象者から身体の物理的反応データを受けるための物理的入力装置、
を含み、
前記装置が、非常事態状況の存在を推論しかつ警報状態に入るために前記検出をしきいとするように操作可能であり、
前記調整装置が、前記検出装置の一つが警報状態に入ったことを示すための警報装置、及び前記警報状態に入った前記検出装置の前記一つの位置と連絡をとりかつその位置を提供するための連絡装置を含むことを特徴とする中央調整装置。
【発明の詳細な説明】
【技術分野】
【０００１】
本発明は非常事態状況検出装置に関する。
【背景技術】
【０００２】
人が非常事態状況に遭遇した時を知ることは望ましい。特に夜警員及び監視員を含む保安要員、航空パイロット、トラック及びバン運転手等は、襲撃及び対抗できない他の非常事態の対象者でありうる。そのような場合、襲撃の対象者は助けを呼ぶことが望ましいが、時には非常事態の本質が助けを呼ぶのを不可能とする場合がある。同様に、相当年配の人及び弱者、特に一人暮らしの人は、例えば転倒後に助けを呼ぶために電話機に到達するのが困難でありかつ不可能なことに気づく。
【０００３】
助けを呼ぶことができない場合に、非常事態状況が存在することを自動的に決定し、かつ助けを呼ぶための多数のシステムが存在する。
【０００４】
患者の脈拍を監視し、もし脈拍が低下したら医者または看護士を呼ぶ病院系システムは、周知であるが、病院環境以外には決して適していない。
【０００５】
航空機系ハイジャック警告システムは航空管制に連結されたパイロットの標準無線系音声に基づくか、またはＳＯＳ信号を放送するためのパニックボタンを含む。しかし、ハイジャッカーはこれらのシステムの存在を熟知しており、それらをハイジャッカーに有利になるように使用するかまたはそれらの使用を全く妨げるかのいずれかの傾向がある。
【０００６】
非常事態から航空機を保護するための他のシステムはパイロットの反応時間に基づく傾向がある。非常事態の幾つかの種類は、パイロットが警報を発生することができないほど早急に起こるか、またはパイロットの注意を警報を発生することに向けることなくパイロットを非常事態活動に向ける。
【０００７】
しばしば、航空機災害後に何が起こったかを決定する能力は、航空機飛行記録器またはブラックボックスを発見することに依存している。
【０００８】
本出願人のイスラエル特許出願第１４５４９８号はコックピット非常事態を検出するためのシステムを開示しており、そのシステムは：
ａ）少なくとも二人の対象者から身体ストレスレベル情報を受けるための入力装置、
ｂ）前記対象者の実質的に同時のストレスレベル増加を検出するために、前記少なくとも二人の対象者からのストレスレベル情報を比較するための、前記入力装置と関連付けられた検出装置、
を含み、このシステムは、非常事態状況の存在を推論しかつ警報状態に入るために、検出された同時ストレスレベル増加をしきいとするように操作可能である。
【０００９】
このシステムは、非常事態状況が発生したことを決定するためにパイロットの生理学的状態を使用する。誤った警報を減らすために、それは二人のパイロットからデータを取り、両方のパイロットがストレスを示すときに警報の存在を推論する。かかるシステムは、二人以上の人が同じ非常事態を経験しそうな民間航空機のコックピットのような状況でのみ有用であるという欠点を持つ。このシステムは、保安要員、一人暮らしの年配者等には適用できない。同様に、それは戦闘中の軍隊または燃焼中の建物中の消防士のような危険な状況に送られた人の監視のためには適用できない。
【発明の開示】
【００１０】
発明の概要
本発明によれば、非常事態状況検出装置が提供され、それは：
対象者から身体ストレスレベル情報を受けるためのストレス入力装置、
前記対象者から身体の物理的反応データを受けるための物理的入力装置、
前記対象者の実質的に同時のストレスレベル増加と物理的反応を検出するために、ストレスレベル情報と物理的反応データを比較するための、前記ストレス入力装置及び前記物理的入力装置に関連付けられた、比較器装置、
を含み、前記装置は、非常事態状況の存在を推論しかつ警報状態に入るために、前記同時検出をしきいとするように操作可能である。
【００１１】
図面の簡略説明
本発明のより良い理解のため及びそれがどのように実現されるかを示すために、以下、純粋に例として添付図面に言及する。
【００１２】
さて、特に詳細に図面に言及すると、示された詳細は、例としてであり、本発明の好適実施態様の例示的説明の目的のためだけであり、かつ最も有用であると信じられるもの及び本発明の原理と概念的特徴の容易に理解される説明を提供するために提示されていることは強調されるべきである。この点について、本発明の構造的詳細は本発明の基本的理解のために必要であるもの以上に更に詳細に示す試みはなされず、図面についてなされる説明は本発明の幾つかの形態がどのように実際に具体化されることができるかを当業者に明らかとするためである。添付図面において、
図１は本発明の第一実施態様による検出装置の簡略図であり；
図２は図１の検出装置をより詳細に示す簡略図であり；
図３は対象者の状態を監視するための直観的な使用者フロントエンドを提供するため又は対象者の動きを仮想現実ゲームのアニメーションまたは動画フィルム等に置換する方法を提供するための３次元仮想図を示す簡略図である。
【発明を実施するための最良の形態】
【００１３】
本実施態様は、非常事態状況が存在することを決定しかつ警報を自動的に発生するために対象者の闘争−恐怖生理学的応答を使用する非常事態状況検出装置を提供する。支持信号はそのとき物理的身体姿勢のような身体ストレス以外のものを測定する独立した装置から取られる。ストレス及び物理的検出装置からの信号の平均値の使用は個々の対象者が受けやすい自己誘発性怒り、攻撃を伴わない純粋な恐怖等に起因する誤った警報に対しての保護を提供する。信号はしきいに対して測定されることができ、またはデルタが使用されることができる。
【００１４】
広い意味で、本実施態様は危険な状況発生の徴候または危険な状況に導かれる環境の徴候を提供する。例えば、この実施態様は保安監視員が眠り込んだこと、従って監視員の義務を果たしていないことの生理学的測定を形成することができる。
【００１５】
本発明の少なくとも一つの実施態様を詳細に説明する前に、本発明は以下の説明に記載されたまたは図面に例示された構成の詳細及び要素の配置に対するその適用に限定されないことは理解されるべきである。本発明は他の実施態様に応用されることができ、または種々の方式で実行されまたは成し遂げることができる。また、ここに採用された表現法及び用語は説明の目的のためであり、限定とみなされるべきではない。
【００１６】
さて、図１を参照すると、それは使用者の上に置かれた非常事態状況検出装置を示す。
【００１７】
図１において、対象者１０は対象者自身に取付けられた非常事態状況検出装置１２を持つ。検出装置１２は身体機能検出装置１４と物理的反応検出装置１５を含む。身体機能検出装置は例えば対象者の脈拍数または発汗レベルを検出する。この検出装置は対象者の衣類の下に隠されることができることが好ましい。検出装置１２は非常事態状況検出装置１６に非接触態様で信号を送ることができることが好ましい。
【００１８】
身体機能検出装置１４は生理学的身体ストレスレベル情報を受ける。物理的反応検出装置は急な動き、またはある種の衝撃の徴候または物理的反応の水平位置等の指標の達成を検出することが好ましい。衝撃検出装置は例えば圧電センサを含むことができる。生理学的ストレスのみまたは物理的反応のみのいずれも非常事態状況の信頼性のある指標ではないが、両者が一緒に起これば非常事態状況の決定の信頼性を増すと予想されることができる。
【００１９】
好ましくは比較装置２０は信号情報を比較して対象者のストレスレベル増加と物理的反応の実質的同時発生を決定するために、身体機能及び反応検出装置と関連付けられる。検出の信頼性を増加するために熟練者により感知可能とみなされる検出をしきい化することができる。異なるしきいが様々な種類の対象者に対して適当であるかもしれない。従って、年配の人は保安監視員より低いしきいによってより良く対応される。更なる代替例として、固定されたしきいレベルの代わりに、このシステムは時間経過による信号レベルの変化を監視することができる。そのとき変化またはデルタ（変数の増分）をしきいとすることができる。デルタをしきいとすることは、急に発生する事象のためである高信号レベルを背景ストレス等のためであるかもしれない高信号レベルから区別することができる。
【００２０】
比較装置のしきい化された出力はしきい化の肯定結果後に警報状態管理者２８に渡され非常事態状況の存在を暗示し、警報状態に入る。
【００２１】
好ましくは警報状態管理者は、例えば無線リンクの、またはビデオリンクの自動開放を介して中央制御器に、援助を呼ぶことができ、このようにして非常事態状態の即時の指標を提供することができる。好ましくはリンク、少なくとも音声リンクはその一端にスピーカー及び／または使用者の身体上に設けられたマイクロホンを含む。
【００２２】
特に航空機コックピットのための更なる好適実施態様において、警報状態管理者は航空機のフライトレコーダーまたはブラックボックスのデータの中央制御器への自動的ダウンロードを開始することができ、このようにして、もしブラックボックスが発見されなくてもフライト情報を入手可能とすることができる。
【００２３】
警報状態管理者は好ましくは他の検出装置の影響下に、例えば大きな騒音またはそれに続く長い不安定性（ｉｎｓｔａｂｉｌｉｔｙ）の検出により警報状態に入ることもできる。警報状態管理者は異なる行動を促す異なるレベルの警報状態に入ることもできるかもしれない。
【００２４】
本発明の更なる好適実施態様において、非常事態状況検出装置は音声または他の確認チャンネルを含み、それらは状況の確認を提供しまたは双方向通信等を可能とするために非常事態の検出で開放されることができる。
【００２５】
更なる好適実施態様において、非常事態状況検出装置１２は位置情報を提供するためにＧＰＳ検出装置を含む。ＧＰＳ信号が利用できない建物または他の場所での使用のために、正確な位置情報のために三角測量システムが設置されることができる。
【００２６】
パトロール中の保安要員のような予め決められた領域内に留る使用者のためを意図した更なる好適実施態様は単純にレギュラーコード信号を送り、この信号からシステムは保安要員が所定場所にいることを推論する。
【００２７】
更なる好適実施態様は対象者の姿勢、位置及び動きを決定するために提供される。従って、非常事態状況検出装置は加速度計を含むことができる。使用者が対面する方向の検出のための検出装置は身体の胸等の部分に吊り下げられることができる。検出装置は磁針を含み、かつ身体の予め決められた前方向に関する磁針の相対的整合状態が使用者が対面する方向に関する情報を提供する。
【００２８】
更なる好適実施態様において、非常事態状況検出装置はチーム内の２人またはそれ以上の人に与えられる。チームの異なる構成員からの信号は誰が事件に最も接近しているかを決定するために比較される。例えば、二人の異なる使用者から受けた音声信号の強度は誰が爆発に最も接近していたかを決定するために比較されることができる。チームは次いでそれに応じて状況を処理するために指示されることができる。
【００２９】
代替例として、物理的信号は周囲の検出装置、例えば航空機の壁に設けられた検出装置と比較されることができる。このようにして、航空機に起因する振動が割り引きされる。
【００３０】
一実施態様において、スタック中の、例えばＦＩＦＯスタック中の予め決められた時間に対してデータが格納される。スタックの大きさは所定のデータ量であることができ、または所定の時間量、もしくは好ましい幾つかの他の因子の量であることができる。非常事態状況の検出の際には、引き続いての解析を可能とするように、現今のスタック中のデータの全てがセーブされる。スタックの実施態様はそれが非常事態の直前からの情報を利用可能とするので有用であり、どのような調査にも極めて有用であることが多い。
【００３１】
本発明の実施態様は私的な通信チャンネルを使用することができる。一実施態様において、使用者に設けられた装備は短距離無線送受信機を持ち、対応する送受信機が電話ソケット上に設けられる。電話ソケットの装置は制御器との接続をする自動ダイアル機を含む。より大きな距離に対しては使用者の装置は中継器に送信することができ、それが次いでより大きな距離に渡って送信する。中継器の一実施態様は便利な近くのパワーソケットに設けられることができる。別の実施態様は人間に設けられることができる。他の実施態様はセルラーネットワークのような現存チャンネルを使用してもよい。さらに他の実施態様はもし検出されたら公共ネットワークを使用させ、そうでなければそれら自身の通信チャンネルを使用する万能通信機を含むことができる。
【００３２】
更なる実施態様によれば、システムはルールベース論理及び対象者上の位置のための一つまたはそれ以上の身体センサを含む。対象者はある行動ルール、例えばある領域内を巡回することによる警戒パトロール、に従うと予想される。もし対象者が走ったりまたは横になったなら異常状況が発生したかもしれないことは明らかであろう。このようにしてセンサはルールベース論理と組合せて、行動ルールに従わないことを検出し、異常状況を表示し、かつもし必要なら警報を発しまたはそうでなければ助けを呼ぶために使用可能である。より多くの独立センサーが用いられるほど決定は信頼性があることは明らかであろう。
【００３３】
他の環境では、監視員は怪しい状況を観察するために走ったり横になったりすることが予想されるかもしれない。かかる場合、システムはかかる環境下で反応しないようすることができるが、衝突または爆発音のような別の徴候、または合図もしくはころがり等もしくは監視員が横になったり／転倒したりする前の及び監視員の生理学的ライディング変化（ｐｈｙｓｉｏｌｏｇｉｃａｌ  ｒｉｄｉｎｇｓ  ｃｈａｎｇｅ）を持つ前の衝突の徴候を待つことができる。これらの徴候は監視員が襲撃下にあることを示すかもしれない。
【００３４】
好適実施態様において、検出装置はプログラム可能である。ルールは異なる使用者に対して変えられることができ、または同じ装置を異なる条件を持つ異なる使用者に与えるために変えられることができる。この装置はまた、検出することができるパラメーターに従って動的にプログラム可能である。従って、検出された位置を用いて異なる組のルール間で変えることができる。または、別の例として消防士により使用されるためにプログラムされた装置はそれが検出する温度に依存して使用されるルールを変えることができる。更なる例において、ルールの変化はオンラインで、例えば無線接続を通して実施されることができる。
【００３５】
位置または場所検出装置は上述のシステムと組合せて使用されることができ、ルールは好ましくは位置ベースの行動を規定する。
【００３６】
仮想現実のために使用されるとき、主な関心は位置または動き検出である。しかし、生理学的検出は気持ちの表示を提供することができる。
【００３７】
好適実施例において、信号はスクリーン上の三次元アニメーション化人形の動きに変えられる。さて図３を参照すると、それは対象者の気持ち及び動きを複製する信号を使用する人形３０を示す。人形は簡略化された人形であり、予め構成されたアニメーションであることができる。
【００３８】
従って、非常事態状況検出において、監視パーティは彼が監視する人間の状態の直観的な使用者に優しい表示を持ち、かつアニメーション及びゲームにおいて、アニメーション化されたキャラクターが俳優または演技者の動きに従って動くが、高価な検出装備または大規模な処理能力を必要としない。
【００３９】
もし監視される対象者自身がスクリーンを見るなら、そのときアニメーション化されたキャラクターは対象者に対話形フィードバックを提供する。直接的でかつ個人化されたフィードバックを持って娯楽的運動及び体操及び訓練を実行することができる。対象者はもし彼が運動を正しく実行しないなら、または危険な態様で実行するなら警告される。これはその運動を予め決められた運動のプログラムと比較することにより、またはその運動を仮想現実スクリーン上の特徴と比較することにより決定されることができる。更にボールの動きまたは仮想銃の方向が対象者の動きと組合せて監視されることができ、ゲームの参加者が得点を獲得したかまたは殺されたかどうかなどを決定することができる。
【００４０】
このシステムは感情的な内容物に対して音など、例えば笑い、叫びなどを監視することができる。同様に、このシステムは感情的きっかけに対して生理学的信号を監視することができる。感情的きっかけはその時アニメーション化された人形に移される。
【００４１】
更なる実施例として、もし監視されている対象者に、彼が襲撃されるというような何らかの事件が起こったなら、アニメーション化された人形は今起こっていることまたは特定の時間に彼に起こったことを明確に示す。なぜなら、情報は格納されかつ再生されうるからである。
【００４２】
明確化のために別個の実施態様で記載されている本発明の幾つかの特徴は、単独実施態様に組合せて提供されることができることは認められる。逆に、簡潔さのために単独の実施態様で記載されている本発明の種々の特徴は、別個にまたはいずれかの適当な副組合せで提供されることができる。
【００４３】
本発明は上に特に示されかつ記述されたものに限定されないことは当業者により認められるであろう。むしろ本発明の範囲は添付特許請求の範囲により規定され、先の記述を読んだ当業者に浮かぶであろう上に記述した種々の特徴の組合せ及び副組合せの両者並びにその変更及び修正を含む。
【図面の簡単な説明】
【００４４】
【図１】本発明の第一実施態様による検出装置の簡略図である。
【図２】図１の検出装置をより詳細に示す簡略図である。
【図３】対象者の状態を監視するための直観的な使用者フロントエンドを提供するための又は対象者の動きを仮想現実ゲームのアニメーションまたは動画フィルム等に置換する方法を提供するための３次元仮想図を示す簡略図である。
【図１】
2007506158.tif 000003
【図２】
2007506158.tif 000004
【図３】
2007506158.tif 000005
【国際調査報告】
2007506158.tif 000006